(57)【要約】【課題】  連結部によって連結された本体部の一部分と蓋部の一部分との間に形成される配線挿通部に挿通された配線が、本体部と蓋部とによって挟まれることを防止することができる遊技機を提供する。【解決手段】  遊技盤の裏面側に設けられた本体部と、遊技盤又は本体部に設けられた電気的な遊技部品に接続された配線を保護する蓋部と、本体部と蓋部とを連結し、蓋部を回動可能に支持する連結部とを備えた配線保護ケースを具備する遊技機が、連結部によって連結された本体部の一部分及び蓋部の一部分の間に形成され、配線を挿通可能な挿通領域を有する配線挿通部と、本体部から蓋部側に向けて突出する部材、又は、蓋部から本体部側に向けて突出する部材によって形成される規制部とを具備し、規制部が、蓋部の回動角度を所定の角度で規制し、挿通領域の大きさを所定の大きさ以上に維持する。【選択図】  図７
2005152263.tif 000002
【特許請求の範囲】
【請求項１】
遊技盤の裏面側に設けられた本体部と、前記遊技盤又は前記本体部に設けられた電気的な遊技部品に接続された配線を保護する蓋部と、前記本体部と前記蓋部とを連結し、前記蓋部を回動可能に支持する連結部とを備えた配線保護ケースを具備する遊技機であって、
前記連結部によって連結された前記本体部の一部分及び前記蓋部の一部分の間に形成され、前記配線を挿通可能な挿通領域を有する配線挿通部と、
前記本体部から前記蓋部側に向けて突出する部材、又は、前記蓋部から前記本体部側に向けて突出する部材によって形成される規制部とを具備し、
前記規制部は、前記蓋部の回動角度を所定の角度で規制し、前記挿通領域の大きさを所定の大きさ以上に維持することを特徴とする遊技機。
【請求項２】
前記電気的な遊技部品は、駆動部を備えた入賞口であり、
前記本体部に、前記入賞口に備えられた前記駆動部が挿入される開口部が設けられていることを特徴とする請求項１に記載の遊技機。
【請求項３】
前記本体部の内部に、前記遊技盤の表面側から受け入れた遊技球が流下する流下経路が形成されていることを特徴とする請求項１又は請求項２に記載の遊技機。
【請求項４】
前記電気的な遊技部品は、前記本体部の内部に形成された前記流下経路に設けられ、当該流下経路を流下する遊技球を検出する検出部であることを特徴とする請求項３に記載の遊技機。
【請求項５】
前記本体部に対向する前記蓋部の面の裏面に、前記配線が接続された制御基板を保護する制御基板ケースが取り付けられていることを特徴とする請求項１乃至請求項４に記載の遊技機。
【発明の詳細な説明】
【技術分野】
【０００１】
遊技盤等に設けられた電気的な遊技部品に接続された配線を保護する配線保護ケースを具備する遊技機に関する。
【背景技術】
【０００２】
従来、遊技機に係る所定の制御（例えば、始動口や大入賞口に備えられたソレノイドの駆動）を行う制御素子（例えば、ＣＰＵ）が実装された制御基板と、制御素子によって制御され、遊技盤に設けられた電気的な遊技部品（例えば、始動口や大入賞口）とを具備する遊技機が知られている。また、この遊技機には、制御素子が実装された制御基板と制御素子によって制御される電気的な遊技部品とを接続する配線を保護する配線保護ケースが設けられている。
【０００３】
具体的には、上述の配線保護ケースは、遊技盤の裏面側に設けられた本体部と遊技盤又は本体部に設けられた電気的な部品に接続された配線を保護する蓋部と、本体部と蓋部とを連結し、蓋部を回動可能に支持する連結部とを具備する。また、電気的な遊技部品に接続された配線は、連結部によって連結された本体部の一部分と蓋部の一部分との間に形成される配線挿通部を通じて、制御基板に接続されている（例えば、特許文献１）。
【特許文献１】特開２００２−１８０７８号公報
【発明の開示】
【発明が解決しようとする課題】
【０００４】
しかしながら、上述の配線保護ケースにおいては、蓋部が所定の角度以上回動されると、配線挿通部に挿通された配線が本体部と蓋部とによって挟まれる（かみこみが発生する）という問題があった。また、配線挿通部に挿通された配線のかみこみが繰り返し発生すると、当該配線が損傷する（又は、切断される）という問題があった。
【０００５】
そこで、本発明は、上述の問題を解決するためになされたものであり、連結部によって連結された本体部の一部分と蓋部の一部分との間に形成される配線挿通部に挿通された配線が、本体部と蓋部とによって挟まれることを防止することができる配線保護ケースを備えた遊技機を提供することを目的とする。
【課題を解決するための手段】
【０００６】
本発明の第１の特徴は、遊技盤の裏面側に設けられた本体部と、遊技盤又は本体部に設けられた電気的な遊技部品に接続された配線を保護する蓋部と、本体部と蓋部とを連結し、蓋部を回動可能に支持する連結部とを備えた配線保護ケースを具備する遊技機が、連結部によって連結された本体部の一部分及び蓋部の一部分の間に形成され、配線を挿通可能な挿通領域を有する配線挿通部と、本体部から蓋部側に向けて突出する部材、又は、蓋部から本体部側に向けて突出する部材によって形成される規制部とを具備し、規制部が、蓋部の回動角度を所定の角度で規制し、挿通領域の大きさを所定の大きさ以上に維持することを特徴とする。
【０００７】
かかる特徴によれば、規制部が、蓋部の回動角度を所定の角度で規制し、挿通領域の大きさを所定の大きさ以上に維持することにより、遊技機に具備される配線保護ケースは、本体部と蓋部とによって挿通領域に挿通された配線が挟まれることを防止することができる。なお、所定の大きさとは、挿通領域に挿通された配線が、本体部と蓋部とによって挟まれない（圧力が加えられない）大きさである。
【０００８】
本発明の第２の特徴は、本発明の第１の特徴において、電気的な遊技部品が、駆動部を備えた入賞口であり、本体部に、入賞口に備えられた駆動部が挿入される開口部が設けられていることを要旨とする。
【０００９】
かかる特徴によれば、入賞口（始動口や大入賞口）に備えられた駆動部（ソレノイド）が挿入される開口部が本体部に設けられていることにより、遊技機に具備される配線保護ケースは、入賞口に接続された配線を保護することに加え、入賞口に備えられた駆動部を保護することができる。
【００１０】
本発明の第３の特徴は、本発明の第１の特徴又は第２の特徴において、本体部の内部に、遊技盤の表面側から受け入れた遊技球が流下する流下経路が形成されていることを要旨とする。
【００１１】
かかる特徴によれば、本体部の内部に、遊技球が流下する流下経路が形成されていることにより、本体部と配線保護ケースとの間に流下経路を設ける必要がなく、遊技機に具備される配線保護ケースの本体部を有効に利用することができる。
【００１２】
本発明の第４の特徴は、本発明の第３の特徴において、電気的な遊技部品が、本体部の内部に形成された流下経路に設けられ、当該流下経路を流下する遊技球を検出する検出部であることを要旨とする。
【００１３】
かかる特徴によれば、本体部の内部に形成された流下経路に検出部が設けられることにより、遊技機に具備される配線保護ケースの本体部を有効に利用することができる。
【００１４】
本発明の第５の特徴は、本発明の第１の特徴乃至第４の特徴において、本体部に対向する蓋部の面の裏面に、配線が接続された制御基板を保護する制御基板ケースが取り付けられていることを要旨とする。
【００１５】
かかる特徴によれば、蓋部が、電気的な部品に接続された配線を保護する機能、及び、制御基板ケースを取り付けるための取付部としての機能とを兼ね備えることにより、遊技機に具備される配線保護ケースの蓋部を有効に利用することができる。
【発明の効果】
【００１６】
本発明によれば、連結部によって連結された本体部の一部分と蓋部の一部分との間に形成される配線挿通部に挿通された配線が本体部と蓋部とによって挟まれることを防止する配線保護ケースを具備する遊技機を提供することができる。
【発明を実施するための最良の形態】
【００１７】
本発明に係る遊技機は、遊技盤の裏面側に設けられた本体部と、遊技盤又は本体部に設けられた電気的な遊技部品に接続された配線を保護する蓋部と、本体部と蓋部とを連結し、蓋部を回動可能に支持する連結部とを備えた配線保護ケースを具備する。また、配線保護ケースは、本体部から蓋部側に向けて突出する部材、又は、蓋部から本体部側に向けて突出する部材によって形成され、蓋部の回動角度を所定の角度で規制する規制部を具備する。
【実施例】
【００１８】
（遊技機の構成）
以下において、本実施例に係る遊技機について、図面を参照しながら説明する。図１は、本実施例に係る遊技機１の概観図である。
【００１９】
同図に示すように、遊技機１は、遊技機１を遊技場に設置するための外枠１０と、外枠１０の前面側に回動可能に取り付けられたベースドア２０と、ベースドア２０の前面側に回動可能に取り付けられた前面扉３０とを具備する。また、前面扉３０に設けられた遊技盤３１には、大入賞口４０及び始動口５０が設けられている。
【００２０】
大入賞口４０には、開閉可能な蓋体４１が設けられ、蓋体４１は、大当りが発生する（可変表示された特別図柄が所定の特別図柄で停止する）と、所定の条件に従って開閉する。始動口５０には、開閉可能な１対の可動片５１が設けられ、可動片５１は、普通当りが発生する（可変表示された普通図柄が所定の普通図柄で停止する）と、所定の条件に従って開閉する。
【００２１】
図２は、本実施例に係る遊技盤３１の背面図である。同図に示すように、遊技盤３１の背面側には、配線保護ケース６０と、制御基板保護ケース７０とが設けられている。
【００２２】
配線保護ケース６０は、大入賞口４０及び始動口５０に接続された配線、及び、大入賞口４０の蓋体４１及び始動口５０の可動片５１を駆動するソレノイド等を保護するものである。
【００２３】
制御基板保護ケース７０は、大入賞口４０の蓋体４１及び始動口５０の可動片５１を駆動するソレノイド等を制御する制御素子（ＣＰＵ）が実装された制御基板７１を保護するものである。なお、大入賞口４０及び始動口５０に接続された配線は、制御基板７１に設けられたコネクタ部７２を介して制御基板７１に接続される。
【００２４】
図３は、本実施例に係る大入賞口４０及び遊技盤３１及び配線保護ケース６０及び制御基板保護ケース７０の配置関係を示す図である。なお、同図においては、始動口５０は、省略されている。
【００２５】
同図に示すように、遊技盤３１には、大入賞口４０の蓋体４１を駆動するソレノイド４２を遊技盤３１の正面側から挿入するための挿入口３１ａと、始動口５０の可動片５１を駆動するソレノイドを遊技盤３１の正面側から挿入するための挿入口３１ｂとが設けられている。
【００２６】
配線保護ケース６０は、遊技盤３１の裏面側に設けられる本体部６０ａと、本体部６０ａに回動可能に取り付けられた蓋部６０ｂとによって構成される。また、本体部６０ａに対向する蓋部６０ｂの面の裏面には、制御基板保護ケース７０が取り付けられる。
【００２７】
具体的には、以下に示す通りである。図４は、本実施例に係る配線保護ケース６０の分解図である。
【００２８】
同図に示すように、配線保護ケース６０は、上述の本体部６０ａを構成する第１ベース６１及び第２ベース６２と、上述の蓋部６０ｂとによって構成される。
【００２９】
第１ベース６１には、大入賞口４０の蓋体４１を駆動するソレノイド４２を挿入するための挿入口６１ａと、始動口５０の可動片５１を駆動するソレノイドを遊技盤３１の正面側から挿入するための挿入口６１ｂと、遊技盤３１から遊技球（入賞口に入球した遊技球）を受け入れるための受入口８１〜８４とが設けられている。
【００３０】
第２ベース６２には、大入賞口４０の蓋体４１を駆動するソレノイド４２を挿入するための挿入口６２ａと、始動口５０の可動片５１を駆動するソレノイドを遊技盤３１の正面側から挿入するための挿入口６２ｂとが設けられている。すなわち、大入賞口４０の蓋体４１を駆動するソレノイド４２及び始動口５０の可動片５１を駆動するソレノイドは、遊技盤３１に設けられた挿入口３１ａ及び挿入口３１ｂと、第１ベース６１に設けられた挿入口６１ａ及び挿入口６１ｂと、第２ベース６２に設けられた挿入口６２ａ及び挿入口６２ｂとを通じて、遊技盤３１の正面側から挿入される。
【００３１】
また、第２ベース６２には、連結部６３ａ及び６３ｂと、規制部６４とが設けられている。連結部６３ａ及び６３ｂは、第２ベース６２と蓋部６０ｂとを連結し、蓋部６０ｂを回動可能に支持する。なお、連結部６３ａ及び６３ｂは、蓋部６０ｂに対向する第２ベース６２の面に対して略平行な回動軸を中心として、蓋部６０ｂを回動可能に支持する。
【００３２】
規制部６４は、第２ベース６２から蓋部６０ｂ側に向けて突出する部材によって形成されている。また、規制部６４は、蓋部６０ｂの回動角度を所定の角度で規制する位置に設けられている。なお、規制部６４は、本体部６０ａの遊技盤３１側の面を水平にした場合に、蓋部６０ｂが自重によって閉じない角度で、蓋部６０ｂの回動角度を規制するものとする。
【００３３】
さらに、第２ベース６２には、受入口８１〜８４から受け入れた遊技球を検出するスイッチ等からの配線等が接続されるコネクタ部を有するコネクタ基板６５が実装される。
【００３４】
図５は、本実施例において、蓋部６０ｂが開放された配線保護ケース６０を示す図である。なお、同図においては、始動口５０は、省略されている。
【００３５】
同図に示すように、本体部６０ａの内部（第１ベース６１と第２ベース６２とによって挟まれた部分）には、受入口８１〜８４から受け入れた遊技球が流下する流下経路８１ｂ〜８４ｂが形成され、流下経路８１ｂ〜８４ｂには、受入口８１〜８４から受け入れた遊技球を検出するスイッチ８１ａ〜８４ａが設けられている。
【００３６】
スイッチ８１ａ〜８４ａ及び大入賞口４０に接続された配線は、コネクタ基板６５上のコネクタ部８１ｃ〜８５ｃに接続されている。また、スイッチ８１ａ〜８４ａ及び大入賞口４０に接続された配線は、コネクタ基板６５上のコネクタ部８６ａを介してコネクタ部８６ｂに接続され、コネクタ部８６ｂと制御基板７１上のコネクタ部７２とによって制御基板７１に接続される。
【００３７】
図６は、図５におけるＡ方向から見た配線保護ケース６０（蓋部６０ｂが閉じた状態）を示す図である。同図に示すように、連結部６３ａ及び６３ｂによって連結された本体部６０ａの一部分及び蓋部６０ｂの一部分の間には、コネクタ部８６ａとコネクタ部８６ｂとを接続する配線８６ｃ（スイッチ８１ａ〜８４ａ及び大入賞口４０に接続された配線）を挿通可能な挿通領域９０を有する配線挿通部９１が形成される。
【００３８】
図７は、図５におけるＡ方向から見た配線保護ケース６０（蓋部６０ｂが開放された状態）を示す図である。同図に示すように、規制部６４は、蓋部６０ｂの回動角度を所定の角度で規制することによって、挿通領域９０の大きさを所定の大きさ以上に維持する。ここで、所定の大きさとは、連結部６３ａ及び６３ｂによって連結された本体部６０ａの一部分及び蓋部６０ｂの一部分によって配線８６ｃが挟まれない大きさである。また、規制部６４は、当該規制部６４の側面で、蓋部６０ｂの回動角度を規制する。
【００３９】
なお、本実施例において、蓋部６０ｂは、２つの連結部（連結部６３ａ及び６３ｂ）によって回動可能に支持されているが、これに限定されるものではなく、１つの連結部によって回動可能に支持されてもよい。
【００４０】
なお、本実施例においては、本体部６０ａに対向する蓋部６０ｂの面の裏面に、制御基板７１を保護する制御基板保護ケース７０が設けられているが、これに限定されず、制御基板７１が直接設けられていてもよい。
【００４１】
（遊技機の作用、及び、効果）
本実施例における遊技機１によれば、配線保護ケース６０の規制部６４が、蓋部６０ｂの回動角度を所定の角度で規制し、挿通領域９０の大きさを所定の大きさ以上に維持することにより、遊技機１に具備される配線保護ケース６０は、連結部６３ａ及び６３ｂによって連結された本体部６０ａの一部分及び蓋部６０ｂの一部分によって、挿通領域９０に挿通された配線８６ｃが挟まれることを防止することができる。
【００４２】
また、大入賞口４０のソレノイド４２や始動口５０のソレノイドが挿入される挿入口６１ａ・挿入口６２ａ及び挿入口６１ｂ・挿入口６２ｂが、配線保護ケース６０の本体部６０ａに設けられていることにより、遊技機１に具備される配線保護ケース６０は、大入賞口４０及び始動口５０及びスイッチ８１ａ〜８４ａに接続された配線を保護することに加え、大入賞口４０のソレノイド４２や始動口５０のソレノイドを保護することができる。
【００４３】
さらに、配線保護ケース６０の本体部６０ａの内部に、遊技球が流下する流下経路８１ｂ〜８４ｂが形成されていることにより、本体部６０ａと配線保護ケース６０との間に流下経路を設ける必要がなく、遊技機１に具備される配線保護ケース６０の本体部６０ａを有効に利用することができる。
【００４４】
また、配線保護ケース６０の本体部６０ａの内部に形成された流下経路８１ｂ〜８４ｂにスイッチ８１ａ〜８４ａが設けられることにより、遊技機１に具備される配線保護ケース６０の本体部６０ａを有効に利用することができる。
【００４５】
さらに、配線保護ケース６０の蓋部６０ｂが、大入賞口４０及び始動口５０及びスイッチ８１ａ〜８４ａに接続された配線を保護する機能と、制御基板保護ケース７０を取り付けるための取付部としての機能とを兼ね備えることにより、遊技機１に具備される配線保護ケース６０の蓋部６０ｂを有効に利用することができる。
【００４６】
また、配線保護ケース６０の規制部６４が、本体部６０ａの遊技盤３１側の面を水平にした場合に、蓋部６０ｂが自重によって閉じない角度で蓋部６０ｂの回動角度を規制することにより、本体部６０ａの遊技盤３１側の面を水平にして行われる際に、配線保護ケース６０の内部に係る保守・点検が容易になる。
【図面の簡単な説明】
【００４７】
【図１】本実施例に係る遊技機１の概観図である。
【図２】本実施例に係る遊技機１の背面図である。
【図３】本実施例に係る大入賞口４０及び遊技盤３１及び配線保護ケース６０及び制御基板保護ケース７０の配置関係を示す図である。
【図４】本実施例に係る配線保護ケース６０の分解図である。
【図５】本実施例において、蓋部６０ｂが開放された配線保護ケース６０を示す図である。
【図６】本実施例に係る配線保護ケース６０をＡ方向から見た図である（その１）。
【図７】本実施例に係る配線保護ケース６０をＡ方向から見た図である（その２）。
【符号の説明】
【００４８】
１・・・遊技機、１０・・・外枠、２０・・・ベースドア、３０・・・前面扉、３１・・・遊技盤、３１ａ及び３１ｂ・・・挿入口、４０・・・大入賞口、４１・・・蓋体、４２・・・ソレノイド、５０・・・始動口、５１・・・可動片、６０・・・配線保護ケース、６０ａ・・・本体部、６０ｂ・・・蓋部、６１・・・第１ベース、６１ａ及び６１ｂ・・・挿入口、６２・・・第２ベース、６２ａ及び６２ｂ・・・挿入口、６３ａ及び６３ｂ・・・連結部、６４・・・規制部、６５・・・コネクタ基板、７０・・・制御基板保護ケース、７１・・・制御基板、７２・・・コネクタ部、８１乃至８４・・・受入口、８１ａ乃至８４ａ・・・スイッチ、８１ｂ乃至８４ｂ流下経路、８１ｃ乃至８５ｃ・・・コネクタ部、８６ａ・・・コネクタ部、８６ｂ・・・コネクタ部、８６ｃ・・・配線、９０・・・挿通領域、９１・・・配線挿通部
【図１】
2005152263.tif 000003
【図２】
2005152263.tif 000004
【図３】
2005152263.tif 000005
【図４】
2005152263.tif 000006
【図５】
2005152263.tif 000007
【図６】
2005152263.tif 000008
【図７】
2005152263.tif 000009